(57)【要約】      （修正有）【課題】容器本体に対して蓋を簡単に着脱できると共に漏れの無い密封状態に蓋部材を確実に装着することができる飲料容器を提供する。【解決手段】飲料が充填される容器本体と容器本体の口部を密閉する蓋部材と容器本体に対する蓋部材の装着状態をロックするロック機構とを備える。ロック機構は容器本体に形成された係止部と蓋部材に設けられた被係止部と係止部に対する被係止部の係止を解除する操作部材４８を有し、被係止部は蓋部材の径方向に進退可能で径方向外側に付勢された可動部材４４を有する。嵌合位置で容器本体に嵌合させた蓋部材をロック位置まで正回転させることで可動部材が係止部に係止され、蓋部材が容器本体に対して回転不能で嵌合解除不能なロック状態となり、ロック状態で操作部材を操作して係止部に対する可動部材の係止を解除すると蓋部材が容器本体に対して嵌合位置まで逆回転可能な状態となる。【選択図】図９
0003205245.tif 000002
【実用新案登録請求の範囲】
【請求項１】
飲料が充填される容器本体と、
前記容器本体の口部を密閉する蓋部材と、
前記蓋部材を前記容器本体の口部に装着した状態にロックするロック機構とを備え、
前記ロック機構は、前記容器本体の口部に形成された係止部と、前記係止部に係止される、前記蓋部材に設けられた被係止部と、前記係止部に対する前記被係止部の係止を解除する操作部材とを有し、
前記被係止部は、前記蓋部材の径方向外側に付勢された状態で前記蓋部材の径方向に進退可能な可動部材を有し、
嵌合位置において前記容器本体の口部に嵌合させた前記蓋部材をロック位置まで正回転させることで、前記可動部材が前記係止部に係止され、前記蓋部材が前記容器本体に対して回転不能かつ嵌合解除不能なロック状態となり、
前記ロック状態において前記操作部材を操作することで、前記可動部材が前記蓋部材の径方向内側に後退して前記係止部に対する前記可動部材の係止が解除され、前記蓋部材が前記容器本体に対して嵌合位置まで逆回転可能な状態となることを特徴とする飲料容器。
【請求項２】
前記被係止部は、前記蓋部材の径方向外側に突出する凸部を有し、
前記係止部は、ロック位置において前記可動部材と係合して前記蓋部材の逆回転を阻止する第１凸部と、ロック位置において前記凸部と係合して前記蓋部材の正回転を阻止する第２凸部とを有している請求項１に記載の飲料容器。
【考案の詳細な説明】
【技術分野】
【０００１】
この考案は、卓上ポット等の飲料容器に関する。
【背景技術】
【０００２】
飲料容器は、通常、飲料を充填する容器本体と、この容器本体の口部を密封する蓋部材とを備えており、蓋部材は容器本体に対して着脱自在に装着することができるようになっている。
【０００３】
容器本体に対する蓋の着脱構造としては、容器本体の口部の内周面または外周面に形成された雌ねじまたは雄ねじに、蓋部材に形成された雄ねじまたは雌ねじを螺合させる螺合構造が採用されており、容器本体に対して蓋部材を回転操作することによって、容器本体に対して蓋部材を着脱するようになっている。
【先行技術文献】
【特許文献】
【０００４】
【特許文献１】特開２００９−２５４４３２号公報
【特許文献２】特開２０１３−２４０４７２号公報
【考案の概要】
【考案が解決しようとする課題】
【０００５】
しかしながら、容器本体に対する蓋の着脱構造として螺合構造が採用された飲料容器では、回転操作による蓋部材の着脱は面倒であり、容器本体に装着した蓋部材の螺合状態が十分でない場合は、容器本体を傾ける注出操作等によって充填された飲料が容器本体の口部から漏れ出すおそれがある。
【０００６】
そこで、この考案の課題は、容器本体に対して蓋を簡単に着脱することができると共に、漏れの無い密封状態に蓋部材を確実に装着することができる飲料容器を提供することにある。
【課題を解決するための手段】
【０００７】
上記の課題を解決するため、請求項１に係る考案は、飲料が充填される容器本体と、前記容器本体の口部を密閉する蓋部材と、前記蓋部材を前記容器本体の口部に装着した状態にロックするロック機構とを備え、前記ロック機構は、前記容器本体の口部に形成された係止部と、前記係止部に係止される、前記蓋部材に設けられた被係止部と、前記係止部に対する前記被係止部の係止を解除する操作部材とを有し、前記被係止部は、前記蓋部材の径方向外側に付勢された状態で前記蓋部材の径方向に進退可能な可動部材を有し、嵌合位置において前記容器本体の口部に嵌合させた前記蓋部材をロック位置まで正回転させることで、前記可動部材が前記係止部に係止され、前記蓋部材が前記容器本体に対して回転不能かつ嵌合解除不能なロック状態となり、前記ロック状態において前記操作部材を操作することで、前記可動部材が前記蓋部材の径方向内側に後退して前記係止部に対する前記可動部材の係止が解除され、前記蓋部材が前記容器本体に対して嵌合位置まで逆回転可能な状態となることを特徴とする飲料容器を提供するものである。
【０００８】
また、請求項２に係る考案は、請求項１に係る考案の飲料容器において、前記被係止部は、前記蓋部材の径方向外側に突出する凸部を有し、前記係止部は、ロック位置において前記可動部材と係合して前記蓋部材の逆回転を阻止する第１凸部と、ロック位置において前記凸部と係合して前記蓋部材の正回転を阻止する第２凸部とを有していることを特徴としている。
【考案の効果】
【０００９】
以上のように、請求項１に係る考案の飲料容器は、容器本体の口部に形成された係止部と、この係止部に係止される、蓋部材に設けられた被係止部と、係止部に対する被係止部の係止を解除する操作部材とを有するロック機構を備えており、被係止部は、蓋部材の径方向外側に付勢された状態で蓋部材の径方向に進退可能な可動部材を有し、嵌合位置において容器本体の口部に嵌合させた蓋部材をロック位置まで正回転させることで、可動部材が係止部に係止され、蓋部材が容器本体に対して回転不能かつ嵌合解除不能なロック状態となり、ロック状態において操作部材を操作することで、可動部材が蓋部材の径方向内側に後退して係止部に対する可動部材の係止が解除され、蓋部材が容器本体に対して嵌合位置まで逆回転可能な状態となるので、嵌合位置において容器本体の口部に蓋部材を嵌合させ、蓋部材をロック位置まで正回転させるという簡単な操作で、蓋部材を容器本体に装着した状態にロックすることができ、この装着状態において操作部材を操作することで、可動部材の係止部に対する係止を解除し、蓋部材を嵌合位置まで逆回転させるという簡単な操作で、蓋部材を容器本体から取り外すことができる。従って、この飲料容器では、螺合構造が採用された飲料容器のような回転操作のみによる蓋部材の面倒な着脱動作が解消され、容器本体に対して蓋部材を簡単に着脱することができるだけでなく、漏れの無い密封状態に蓋部材を確実に装着することができる。
【００１０】
また、請求項１に係る考案の飲料容器は、被係止部が、蓋部材の径方向外側に突出する凸部を有し、係止部が、ロック位置において可動部材と係合して蓋部材の逆回転を阻止する第１凸部と、ロック位置において被係止部の凸部と係合して蓋部材の正回転を阻止する第２凸部とを有しているので、簡単な構成で蓋部材を装着位置に確実にロックすることができる。
【図面の簡単な説明】
【００１１】
【図１】この考案に係る飲料容器の一実施形態である卓上ポットを示す斜視図である。
【図２】（ａ）は同上の卓上ポットの蓋部材を外した状態を右側から視た分解斜視図、（ｂ）は同上の卓上ポットの蓋部材を外した状態を左側から視た分解斜視図である。
【図３】同上の卓上ポットを前後方向に切断した縦断面図である。
【図４】同上の卓上ポットを左右方向に切断した縦断面図である。
【図５】（ａ）は同上の卓上ポットを構成している容器本体の口部内面の右側に形成された係止部を示す容器本体の部分断面図、（ｂ）は同上の容器本体の口部内面の左側に形成された係止部を示す容器本体の部分断面図、（ｃ）は同上の容器本体の口部内面の後側に形成された係止部を示す容器本体の部分断面図である。
【図６】（ａ）は同上の卓上ポットを構成している蓋部材を示す斜視図、（ｂ）は同上の蓋部材を本体部と栓体とに分離した状態を示す分解斜視図である。
【図７】（ａ）は同上の蓋部材を示す正面図、（ｂ）は同上の蓋部材を示す底面図、（ｃ）は同上の蓋部材を示す背面図、（ｄ）は同上の蓋部材を示す右側面図、（ｅ）は同上の蓋部材を示す左側面図である。
【図８】（ａ）、（ｂ）は操作部材及び可動部材の動きを示す蓋部材の断面図である。
【図９】（ａ）、（ｃ）は同上の蓋部材の容易本体への取り付け動作を示す蓋部材の平面図、（ｂ）、（ｄ）は同上の蓋部材の容易本体への取り付け動作を示す蓋部材の横断面図である。
【図１０】（ａ）、（ｃ）は同上の蓋部材の容易本体からの取り外し動作を示す蓋部材の平面図、（ｂ）、（ｄ）は同上の蓋部材の容易本体からの取り外し動作を示す蓋部材の横断面図である。
【考案を実施するための形態】
【００１２】
以下、実施の形態について図面を参照して説明する。図１及び図２は、この考案に係る飲料容器の一実施形態である卓上ポットを示している。この卓上ポット１は、上端開口部を有する容器本体２と、この容器本体２の上端開口部を閉塞する蓋部材３とを備えており、蓋部材３は着脱可能に容器本体２に装着されている。
【００１３】
前記容器本体２は、図３〜図５に示すように、有底円筒状で、外壁と内壁との間が略真空に保持された真空二重壁構造を有する金属容器１０と、この金属容器１０の上端部に装着される合成樹脂製の口部材２０とを備えており、口部材２０は、前方に飲料の注ぎ口２１を、後方に握手２２をそれぞれ有している。
【００１４】
前記口部材２０の口部内周面には、図５（ａ）〜（ｃ）に示すように、後述する蓋部材３に設けられた被係止部が係止される係止部が設けられており、この係止部は、正面（注ぎ口２１側）から見て口部内周面の右側に設けられた第１凸部２３と、口部内周面の左側及び後側に設けられた第２凸部２４、２５とから構成されている。
【００１５】
前記第１凸部２３は、前方側に向かって周方向に延びる突条からなる上方向規制部２３ａと、この上方向規制部２３ａの後部から下方側に延びる突条からなる周方向規制部２３ｂと、この周方向規制部２３ｂの後方側に上下３段で連設された平面視三角形状の案内部２３ｃとから構成されており、第２凸部２４は、前方側に向かって若干上方側に傾斜しながら周方向に延びる突条からなる上方向規制部２４ａと、この上方向規制部２４ａの後端から下方側に突出した周方向規制部２４ｂとから構成されていると共に、第２凸部２５は、正面側から視て左側に向かって若干上方側に傾斜しながら周方向に延びる突条からなる上方向規制部２５ａと、この上方向規制部２５ａの右端から下方側に突出した周方向規制部２５ｂとから構成されている。
【００１６】
前記蓋部材３は、図３、図４及び図６〜図８に示すように、金属容器１０内に充填された飲料を口部材２０の注ぎ口２１に導く流路３１及びこの流路３１を開閉する弁ユニット３２が組み込まれ、下端部にパッキン３７が装着された栓体３０と、この栓体３０が取り付けられる本体部４０とを備えており、本体部４０には、弁ユニット３２の開閉操作機構４１が組み込まれている。
【００１７】
前記弁ユニット３２は、図３及び図４に示すように、流路３１の下端部を開閉する円盤状の弁体３３と、この弁体３３の中心部から立ち上がる弁軸３４と、弁軸３４を昇降可能に支持する弁軸支持部３５と、弁軸３４を閉弁側に付勢する、弁軸３４に嵌挿されたコイルバネ３６とを備えており、弁軸３４の上端部が本体部４０側に突出している。
【００１８】
前記開閉操作機構４１は、図３に示すように、一端側を回動支点として回動可能に支持された操作部材４２と、この操作部材４２を閉弁方向に付勢するコイルばね４３とを備えており、操作部材４２は、弁ユニット３２の弁軸３４の上端部を開弁側に押し下げる、下方側に突出した押下部４２ａと、この押下部４２ａに連設され、後方側に張り出した操作レバー４２ｂとを有している。
【００１９】
従って、操作レバー４２ｂを押し下げると、一端側を回動支点として操作部材４２全体が下方側に回動し、それに伴って、押下部４２ａが下方側に移動して弁軸３４を押し下げるので、流路３１の下端部を閉塞している弁体３３が下方側に移動して流路３１が開放され、金属容器１０内の飲料を注出可能な状態となる。操作レバー４２ｂの押し下げを解除すると、コイルばね４３の付勢力によって、一端側を回動支点として操作部材４２全体が上方側に回動し、それに伴って、コイルバネ３６の付勢力によって弁軸３４が上方側に押し上げられるので、流路３１の下端部を開放していた弁体３３が上方側に移動して流路３１が閉塞され、金属容器１０内の飲料を注出不能な状態となる。
【００２０】
前記本体部４０は、蓋部材３を容器本体２に装着した状態で口部材２０内に嵌入される円筒状の本体下部４０ａと、この本体下部４０ａに連設された、蓋部材３を容器本体２に装着した状態で注ぎ口２１を覆うように口部材２０の上側に位置する本体上部４０ｂとから構成されており、栓体３０は、図６（ａ）、（ｂ）に示すように、本体下部４０ａに形成された係合孔ＥＨに係合可能に栓体３０に設けられた弾性変形可能な係合片３８を介して、本体下部４０ａに着脱自在に取り付けられている。なお、本体下部４０ａに栓体３０が取り付けられた状態で、図８（ａ）、（ｂ）に矢印で示す方向に係合片３８を押し込むと、係合孔ＥＨに対する係合片３８の係合が解除され、本体下部４０ａから引き下げることで、栓体３０を取り外すことができる。
【００２１】
前記本体下部４０ａには、図４及び図６〜図８に示すように、口部材２０の口部内周面に形成された、第１凸部２３及び第２凸部２４、２５からなる係止部にそれぞれ係止される被係止部が設けられており、この被係止部は、第１凸部２３に係止される可動部材４４と、第２凸部２４、２５にそれぞれ係止される凸部４５、４６とから構成されている。
【００２２】
前記可動部材４４は、本体部４０を正面（注ぎ口２１側）から見て本体下部４０ａの外周面の右側に形成された開口Ｏａから出没するように、径方向に進退可能に本体部４０に支持されており、開口Ｏａから突出するように、コイルバネ４７によって蓋部材３の径方向外側に付勢されていると共に（図８（ａ）参照）、後述する操作部材４８によって、コイルバネ４７の付勢力に抗して開口Ｏａ内に後退させることができるようになっている（図８（ｂ）参照）。また、可動部材４４は、図７（ｂ）に示すように、開口Ｏａから突出する先端部が前方側（注ぎ口２１側）に向かって径方向内側に傾斜しており、第１凸部２３の平面視三角形状の案内部２３ｃに沿って案内されるようになっている。
【００２３】
前記凸部４５は、図７（ａ）〜（ｃ）、（ｅ）に示すように、本体部４０を正面（注ぎ口２１側）から見て本体下部４０ａの外周面の左側に形成された、前方側に向かって若干上方側に傾斜しながら周方向に延びる突条であり、本体下部４０ａを口部材２０内に嵌入した状態で、第２凸部２４の上方向規制部２４ａの下側で、周方向規制部２４ｂに当接可能な高さ位置に配置されている。
【００２４】
前記凸部４６は、図７（ｂ）〜（ｅ）に示すように、本体部４０を正面（注ぎ口２１側）から見て本体下部４０ａの外周面の後側に形成された、背面側から視て右側（正面側から視て左側）に向かって若干上方側に傾斜しながら周方向に延びる突条であり、本体下部４０ａを口部材２０内に嵌入した状態で、第２凸部２５の上方向規制部２５ａの下側で、周方向規制部２５ｂに当接可能な高さ位置に配置されている。
【００２５】
前記操作部材４８は、図８（ａ）、（ｂ）に示すように、可動部材４４に連設された状態で、本体部４０を正面（注ぎ口２１側）から見て本体上部４０ｂの外周面の右側に形成された開口Ｏｂから突出しており、同図（ａ）、（ｂ）及び図２（ａ）、（ｂ）に示すように、本体部４０を正面から見て本体上部４０ｂの左側には、操作部材４８と左右対称の位置に開口Ｏｂから突出した操作部材４８に似せた固定の擬似操作部ＰＯが形成されている。
【００２６】
従って、操作部材４８と擬似操作部ＰＯを摘まんで、操作部材４８を内側に押し込むと、図８（ｂ）に示すように、可動部材４４が開口Ｏａ内に後退し、操作部材４８の押し込みを解除すると、同図（ａ）に示すように、コイルバネ４７の付勢力によって、操作部材４８が初期位置に復帰すると共に、可動部材４４が開口Ｏａから突出した初期状態に復帰する。
【００２７】
以上のように構成された卓上ポット１において、容器本体２に蓋部材３を装着するには、まず、図９（ａ）、（ｂ）に示すように、容器本体２を正面（注ぎ口２１側）から見て右側に３０度の位置（以下、嵌合位置という。）に、注ぎ口２１を覆う蓋部材３の前側突出部分ＰＰがくるように、容器本体２対して蓋部材３を回転させた状態で、蓋部材３の栓体３０及び本体部４０の本体下部４０ａを容器本体２の口部材２０に嵌合させる。この状態では、本体部４０の本体下部４０ａの開口Ｏａから突出している可動部材４４は第１凸部２３の周方向規制部２３ｂよりも後方側に、凸部４５は第２凸部２４の上方向規制部２４ａよりも前方側に、凸部４６は第２凸部２５の上方向規制部２５ａよりも左側にそれぞれ位置している。
【００２８】
続いて、前側突出部分ＰＰが注ぎ口２１を覆う位置（以下、ロック位置という。）まで蓋部材３を正回転させると、可動部材４４が第１凸部２３の案内部２３ｃに沿って案内されながら開口Ｏａの内側に押し込まれ、周方向規制部２３ｂを乗り越えて周方向規制部２３ｂに係止されることで、逆回転不能な状態になると共に、凸部４５、４６が第２凸部２４、２５の上方向規制部２４ａ、２５ａの下側を移動し、第２凸部２４、２５の周方向規制部２４ｂ、２５ｂに係止されることで、正回転不能な状態になる。この状態では、可動部材４４が第１凸部２３の上方向規制部２３ａの下側に、凸部４５、４６が第２凸部２４、２５の上方向規制部２４ａ、２５ａの下側にそれぞれ入り込んでおり、蓋部材３の上方側への移動が規制されているので、蓋部材３を容器本体２から引き抜くことができない装着状態にロックされている（図９（ｃ）、（ｄ）参照）。
【００２９】
このようにして容器本体２に装着された蓋部材３を取り外すには、まず、図１０（ａ）、（ｂ）に示すように、操作部材４８と擬似操作部ＰＯを摘まんで、操作部材４８を内側に押し込むことで、可動部材４４を本体部４０の本体下部４０ａの開口Ｏａ内に後退させて、第１凸部２３の周方向規制部２３ｂに対する係止を解除し、蓋部材３を逆回転可能な状態とする。
【００３０】
続いて、蓋部材３の前側突出部分ＰＰが嵌合位置にくるまで蓋部材３を逆回転させると、同図（ｃ）、（ｄ）に示すように、可動部材４４及び凸部４５、４６が第１凸部２３の上方向規制部２３ａ及び第２凸部２４、２５の上方向規制部２４ａ、２５ａから外れ、上方側への移動が可能となるので、容器本体２から蓋部材３を引き上げることで、容器本体２から蓋部材３を取り外すことができる。
【００３１】
以上のように、この卓上ポット１は、嵌合位置において容器本体２の口部に蓋部材３を嵌合させ、蓋部材３をロック位置まで３０度だけ正回転させるという簡単な操作で、蓋部材３を容器本体２に装着した状態にロックすることができ、この装着状態において操作部材４８を操作することで、可動部材４４の第１凸部２３の周方向規制部２３ｂに対する係止を解除し、蓋部材３を嵌合位置まで３０度だけ逆回転させるという簡単な操作で、蓋部材３を容器本体２から取り外すことができるので、螺合構造が採用された飲料容器のような回転操作のみによる蓋部材の面倒な着脱動作が解消され、容器本体に対して蓋部材を簡単に着脱することができるだけでなく、漏れの無い密封状態に蓋部材を確実に装着することができる。
【００３２】
また、この卓上ポット１は、蓋部材３の本体部４０から汚れやすい栓体３０を取り外すことができるので、蓋部材３の洗浄も容易に行うことができる。
【００３３】
なお、上述した実施形態では、正面から見て右側に係止部としての第１凸部２３と、第１凸部２３に係止される被係止部としての可動部材４４を、正面から見て左側に係止部としての第２凸部２４と、第２凸部２４に係止される被係止部としての凸部４５を設けているが、これに限定されるものではなく、左右を入れ替えることも可能であり、左右両側にそれぞれ第１凸部とこれに係止される可動部材を設けることも可能である。
【００３４】
また、上述した実施形態では、卓上ポット１について説明したが、これに限定されるものではなく、携帯用飲料容器等、容器本体に蓋を着脱自在に装着する種々の飲料容器に本発明を適用することができる。
【産業上の利用可能性】
【００３５】
本考案は、卓上ポット等の飲料容器に利用することができる。
【符号の説明】
【００３６】
１  卓上ポット
２  容器本体
３  蓋部材
１０  金属容器
２０  口部材
２１  注ぎ口
２２  握手
２３  第１凸部
２３ａ  上方向規制部
２３ｂ  周方向規制部
２３ｃ  案内部
２４、２５  第２凸部
２４ａ、２５ａ  上方向規制部
２４ｂ、２５ｂ  周方向規制部
３０  栓体
３１  流路
３２  弁ユニット
３３  弁体
３４  弁軸
３５  弁軸支持部
３６  コイルバネ
３７  パッキン
３８  係合片
４０  本体部
４０ａ  本体下部
４０ｂ  本体上部
４１  開閉操作機構
４２  操作部材
４２ａ  押下部
４２ｂ  操作レバー
４３  コイルばね
４４  可動部材
４５、４６  凸部
４７  コイルバネ
４８  操作部材
ＥＨ  係合孔
Ｏａ、Ｏｂ  開口
ＰＯ  擬似操作部
ＰＰ  前側突出部分
【図１】
0003205245.tif 000003
【図２】
0003205245.tif 000004
【図３】
0003205245.tif 000005
【図４】
0003205245.tif 000006
【図５】
0003205245.tif 000007
【図６】
0003205245.tif 000008
【図７】
0003205245.tif 000009
【図８】
0003205245.tif 000010
【図９】
0003205245.tif 000011
【図１０】
0003205245.tif 000012